(57)【特許請求の範囲】
【請求項１】
タスク情報テーブルを定時にサーチし、各アンテナにおいて処理する必要があるタスクを取得し、全てのアンテナを、占用する有効なサーチリソースの数の順にソートするステップと、
前記ソートに応じて、全てのアンテナにおいて処理する必要があるタスクを処理するステップとを含むことを特徴とするマルチパスサーチを実現するタスク処理方法。
【請求項２】
前記タスク情報テーブルを定時にサーチする前に、
タスク要求を定時に読み取り、タスク情報テーブルにおけるタスクパラメータを更新するステップをさらに含むことを特徴とする請求項１に記載のマルチパスサーチを実現するタスク処理方法。
【請求項３】
前記タスク要求を定時に読み取り、タスク情報テーブルにおけるタスクパラメータを更新するステップは、
各スロットにおけるタスク要求を読み取り、タスク要求に付加されているタスク番号に従って、対応するアドレスのタスクパラメータを読み取り、タスクパラメータを前記タスク番号に対応するタスク情報テーブルに更新することを含むことを特徴とする請求項２に記載のマルチパスサーチを実現するタスク処理方法。
【請求項４】
前記タスク情報テーブルを定時にサーチするステップは、
各スロットの先頭でタスク情報テーブルに対するサーチを始動し、タスク番号に従って、更新されたタスク情報テーブルを順にサーチして読み取り、かつ、
全体のタスク情報テーブルに対するサーチが完了するまで、タスク情報テーブルから読み取られたタスクパラメータに含まれるアンテナ番号に従って、読み取られた有効なタスクのタスク番号を対応するアンテナリンクリストに書き込み、
異なるアンテナ番号のアンテナリンクリスト、異なるアンテナにおいて処理する必要があるタスクの総数、および各アンテナが占用する有効なサーチリソースの総数を取得することを含むことを特徴とする請求項３に記載のマルチパスサーチを実現するタスク処理方法。
【請求項５】
前記ソートに応じて、全てのアンテナにおいて処理する必要があるタスクを処理するステップは、
全てのアンテナを占用する有効なサーチリソースの数の順にソートすることに基づいて、先ず、占用する有効なサーチリソースの数が最も多いアンテナのアンテナ番号を読み取り、
次に、アンテナ番号に従って、前記アンテナにおける最後の１つの有効なタスク番号を読み取り、前記有効なタスク番号に従って、タスク情報テーブルにおける対応するアドレスのタスクパラメータを読み取り、タスクをタスク運行記憶領域に書き込み、
続いて、前記アンテナにおける全ての有効なタスクをタスク運行記憶領域に書き込み、前記アンテナタスクの処理が完了するまで、前記アンテナにおける直前の有効なタスク番号を読み取り、
その後、占用する有効なサーチリソースの数の多さが二番目以下の全てのアンテナを順次処理することを特徴とする請求項４に記載のマルチパスサーチを実現するタスク処理方法。
【請求項６】
タスクステートマシン制御モジュールとタスクルックアップモジュールとを備え、
前記タスクステートマシン制御モジュールは、タスクルックアップモジュールに対する状態制御を実施するように構成され、
前記タスクルックアップモジュールは、タスク情報テーブルを定時にサーチし、各アン
テナにおいて処理する必要があるタスクを取得し、全てのアンテナを、占用する有効なサーチリソースの数の順にソートし、かつ、前記ソートに応じて、全てのアンテナにおいて処理する必要があるタスクを処理するように構成されることを特徴とするマルチパスサーチを実現するタスク処理装置。
【請求項７】
タスク要求を定時に読み取り、タスク情報テーブルにおけるタスクパラメータを更新するように構成されるタスク要求モジュールをさらに備えることを特徴とする請求項６に記載のマルチパスサーチを実現するタスク処理装置。
【請求項８】
前記タスクステートマシン制御モジュールは、さらに、タスク要求モジュールに対する状態制御、およびタスク運行に対する状態制御を実施するように構成されることを特徴とする請求項７に記載のマルチパスサーチを実現するタスク処理装置。
【請求項９】
前記タスクステートマシン制御モジュールは、
タスク要求モジュールによるタスク要求に対する状態制御を実施するように構成されるタスク要求ステートマシンと、
タスクルックアップモジュールによるタスクルックアップに対する状態制御を実施するように構成されるタスクルックアップステートマシンと、
タスク運行に対する状態制御を実施するように構成されるタスク運行ステートマシンとを有することを特徴とする請求項８に記載のマルチパスサーチを実現するタスク処理装置。
【請求項１０】
前記タスク要求モジュールは、
タスクパラメータを記憶するように構成されるタスクパラメータ記憶手段と、
タスク要求を記憶するように構成されるタスク要求記憶手段と、
タスク情報テーブルを記憶するように構成されるタスク情報テーブル記憶手段と、
タスク要求ステートマシンの制御の下、タスク要求を定時に読み取り、タスク情報テーブルにおけるタスクパラメータを更新するように構成されるタスク要求処理手段とを有することを特徴とする請求項８に記載のマルチパスサーチを実現するタスク処理装置。
【請求項１１】
前記タスクルックアップモジュールは、
各アンテナのアンテナリンクリストを記憶するように構成されるアンテナリンクリスト記憶手段と、
各アンテナが占用する有効なサーチリソースの数を記憶するように構成されるアンテナサーチリソース数記憶手段と、
各アンテナにおける有効なタスクの数を記憶するように構成されるアンテナタスク数記憶手段と、
各アンテナにおける最後の１つの有効なタスクのタスク番号を記憶するように構成されるアンテナ最後タスク記憶手段と、
タスク運行記憶手段と、
タスクルックアップステートマシンの制御の下、タスク情報テーブルを定時にサーチし、各アンテナにおいて処理する必要があるタスクを取得し、全てのアンテナを、占用する有効なサーチリソースの数の順にソートし、かつ、前記ソートに応じて、全てのアンテナにおいて処理する必要があるタスクを処理するように構成されるタスクルックアップ処理手段とを有することを特徴とする請求項８に記載のマルチパスサーチを実現するタスク処理装置。
【発明の詳細な説明】
【技術分野】
【０００１】
本発明は、広帯域符号分割多元接続システム（ＷＣＤＭＡ（登録商標）、Ｗｉｄｅｂａｎｄ-Ｃｏｄｅ Ｄｉｖｉｓｉｏｎ Ｍｕｌｔｉｐｌｅ Ａｃｃｅｓｓ）におけるマルチパスサーチ技術に関し、特に、マルチパスサーチを実現するタスク処理方法及び装置に関する。
【背景技術】
【０００２】
ＷＣＤＭＡシステムにおいて、基地局が、受信されたアンテナデータをベースバンドモジュールに渡して処理させるが、この過程では、ベースバンドモジュール処理が、異なるチャネル符号化案、回路実現、タスクスケジューリング案に応じて異なる処理遅延を現すし、アンテナデータがリアルタイムに送信されるし、基地局が、何れの時刻のアンテナデータを漏れてはならないため、リアルタイムアンテナデータをアンテナデータキャッシュモジュールにキャッシュする必要がある。また、統一キャッシュは、マルチパスサーチ、マルチパス復調などのモジュールがバスによりアンテナデータを共有すること、及び、多種のアンテナデータストリームでのマルチパスサーチ、マルチパス復調をサポートすることをも実現できる。
【発明の概要】
【発明が解決しようとする課題】
【０００３】
しかし、マルチパスサーチモジュールがサーチ周期ごとにアンテナデータキャッシュモジュール中のアンテナデータを読み取る必要があるため、大量の帯域幅を占用し、システムの性能に影響を及ぼすので、如何にアンテナデータをリードライトする帯域幅を低減し、システムの性能を向上させるかは、至急に解決すべき重要な課題となっている。
【課題を解決するための手段】
【０００４】
従来で存在している技術問題を解決するために、本発明の実施例は、主にマルチパスサーチを実現するタスク処理方法及び装置を提供する。
【０００５】
本発明の技術案は以下のように実現される。
本発明の実施例は、マルチパスサーチを実現するタスク処理方法を提供する。前記方法は、タスク情報テーブルを定時にサーチし、各アンテナにおいて処理する必要があるタスクを取得し、全てのアンテナを、占用する有効なサーチリソースの数の順にソートするステップと、前記ソートに応じて、全てのアンテナにおいて処理する必要があるタスクを処理するステップとを含む。
【０００６】
本発明の実施例は、マルチパスサーチを実現するタスク処理装置をさらに提供する。前記装置は、タスクルックアップモジュールに対する状態制御を実施するように構成されるタスクステートマシン制御モジュールと、タスク情報テーブルを定時にサーチし、各アンテナにおいて処理する必要があるタスクを取得し、全てのアンテナを、占用する有効なサーチリソースの数の順にソートし、かつ、前記ソートに応じて、全てのアンテナにおいて処理する必要があるタスクを処理するように構成されるタスクルックアップモジュールとを備える。
【０００７】
本発明の実施例に係るマルチパスサーチを実現するタスク処理方法及び装置は、タスク情報テーブルを定時にサーチし、各アンテナにおいて処理する必要があるタスクを取得し、全てのアンテナを、アンテナが占用する有効なサーチリソースの数の順にソートし、かつ、前記ソートに応じて、全てのアンテナにおいて処理する必要があるタスクを処理する。これにより、アンテナデータを要求する頻度を大幅に少なくすることができ、アンテナ
ごとに対して一回だけ要求すれば良く、バスを占用する帯域幅を有効に低減し、システム性能を向上させる。具体的には、平均の場合、仮にＸ個のタスクがＹ本のアンテナに平均で分布しているとすれば、本発明の実施例の方法を採用すると、アンテナデータをＹ回要求すれば良く、従来技術でタスクによってアンテナデータを要求する必要があるやり方と比べて、本発明の実施例では、占用する帯域幅は単に従来技術方法のＹ／Ｘに過ぎず、極端の場合、仮にＸ個のタスクが全て１本のアンテナに集中しているとすれば、本発明の実施例では、占用する帯域幅は単に従来技術方法の１／Ｘに過ぎない。
【図面の簡単な説明】
【０００８】
【図１】本発明の実施例におけるマルチパスサーチを実現するタスク処理方法流れ模式図である。
【図２】本発明の実施例におけるマルチパスサーチを実現する別のタスク処理方法流れ模式図である。
【図３】本発明の実施例におけるマルチパスサーチを実現するタスク処理装置構成構造模式図である。
【発明を実施するための形態】
【０００９】
本発明の実施例では、タスク情報テーブルを定時にサーチし、各アンテナにおいて処理する必要があるタスクを取得し、全てのアンテナを、占用する有効なサーチリソースの数の順にソートし、かつ、前記ソートに応じて、全てのアンテナにおいて処理する必要があるタスクを処理する。
【００１０】
タスク情報テーブルを定時にサーチする前に、本発明の実施例は、タスク要求を定時に読み取り、タスク情報テーブルにおけるタスクパラメータを更新するステップをさらに含む。
【００１１】
対応的に、前記タスク情報テーブルを定時にサーチすることは、更新されたタスク情報テーブルを定時にサーチすることである。
【００１２】
以下、図面及び具体的な実施例を参照して本発明をさらに詳細に説明する。
図１は、本発明の実施例におけるマルチパスサーチを実現するタスク処理方法流れ模式図である。図１に示すように、当該マルチパスサーチを実現するタスク処理方法流れは、下記のステップを含む。
【００１３】
ステップ１０１では、タスク情報テーブルを定時にサーチし、各アンテナにおいて処理する必要があるタスクを取得し、全てのアンテナを、占用する有効なサーチリソースの数の順にソートする。
【００１４】
ここでは、前記タスク情報テーブルを定時にサーチする前に、当該方法は、タスク要求を定時に読み取り、タスク情報テーブルにおけるタスクパラメータを更新するステップをさらに含む。
【００１５】
前記タスク要求を定時に読み取り、タスク情報テーブルにおけるタスクパラメータを更新するステップは、システムに基づいてスロット（ｓｌｏｔ、１ ｆｒａｍｅ=１５ ｓｌｏｔ=３８４００ ｃｈｉｐ）ごと内のタスク要求を定時に読み取り、タスク要求に付加されているタスク番号に従って、対応するアドレスのタスクパラメータを読み取り、読み取られたタスクパラメータを、前記タスク番号に対応するタスク情報テーブルに更新することを含む。
【００１６】
一般的には、前記タスク要求の配置周期は、１つのスロットであり、前のＭ個のチップ
（ｃｈｉｐ）と後のＮ個のチップとの２つの部分に分けられる。Ｍ及びＮの値を実際状況に応じて自分で割り当てもよく、前のＭ個のチップをタスク要求送信時間とし、後のＮ個のチップをタスク要求読取時間とする。タスク要求送信時間は、タスク要求読取時間よりも優先する。
【００１７】
前記タスクパラメータは、アンテナ番号、サーチウィンドウ長、スクランブリングコードなどを含む。
【００１８】
前記タスク情報テーブルは、タスク番号をアドレスインデックスとしており、前記タスク情報テーブルには、タスク状態、すなわち、タスクが有効であるか否か、または、タスクの効力発生時間が始まっているか否かがさらに保存されている。
【００１９】
対応的に、前記タスク情報テーブルを定時にサーチするステップは、各スロットの先頭でタスク情報テーブルに対するサーチを始動し、タスク番号に従って、更新されたタスク情報テーブルを順にサーチして読み取り、かつ、全体のタスク情報テーブルに対するサーチが完了するまで、タスク情報テーブルから読み取られたタスクパラメータに含まれるアンテナ番号に従って、読み取られた有効なタスクのタスク番号を対応するアンテナリンクリストに書き込んで、異なるアンテナ番号のアンテナリンクリスト、異なるアンテナにおいて処理する必要があるタスクの総数、および各アンテナが占用する有効なサーチリソースの総数を取得することを含む。
【００２０】
前記アンテナリンクリストは、タスク番号をインデックスとしており、本アンテナ本スロット内のこのタスク番号の直前の有効なタスクのタスク番号が記憶されている。
【００２１】
ステップ１０２では、前記ソートに応じて、全てのアンテナにおいて処理する必要があるタスクを処理する。
【００２２】
ここでは、前記ソートに応じて、全てのアンテナにおいて処理する必要があるタスクを処理するステップは、具体的には、全てのアンテナを、占用する有効なサーチリソースの数の順にソートすることに基づいて、先ず、占用する有効なサーチリソースの数が最も多いアンテナのアンテナ番号を読み取り、それから、アンテナ番号に従って、前記アンテナにおける最後の１つの有効なタスク番号を読み取り、前記有効なタスク番号に従って、タスク情報テーブルにおける対応するアドレスのタスクパラメータを読み取り、タスクをタスク運行記憶領域に書き込む処理を、前記アンテナにおける直前の有効なタスク番号を読み取り、前記アンテナにおける全ての有効なタスクがタスク運行記憶領域に書き込まれて前記タスクの処理が完了するまで繰り返し、その後、占用する有効なサーチリソースの数が二番目に多いアンテナを処理し、全てのアンテナが処理されるまで同様の処理を繰り返す。
【００２３】
図２は、本発明の実施例におけるマルチパスサーチを実現する別のタスク処理方法流れ模式図である。図２に示すように、当該マルチパスサーチを実現するタスク処理方法流れは、下記のステップを含む。
【００２４】
ステップ２０１では、タスク要求を定時に読み取り、タスク情報テーブルにおけるタスクパラメータを更新する。
【００２５】
ここでは、 前記タスク要求を定時に読み取り、タスク情報テーブルにおけるタスクパラメータを更新するステップは、システムに基づいてスロット（ｓｌｏｔ、１ ｆｒａｍｅ=１５ ｓｌｏｔ=３８４００ ｃｈｉｐ）ごと内のタスク要求を定時に読み取り、タスク要求に付加されているタスク番号に従って、対応するアドレスのタスクパラメータを読み
取り、読み取られたタスクパラメータを、当該タスク番号に対応するタスク情報テーブルに更新することを含む。
【００２６】
一般的には、前記タスク要求の配置周期は、１つのスロットであり、前のＭ個のチップと後のＮ個のチップとの２つの部分に分けられる。Ｍ及びＮの値を実際状況に応じて自分で割り当ても良く、前のＭ個のチップをタスク要求送信時間とし、後のＮ個のチップをタスク要求読取時間とする。タスク要求送信時間は、タスク要求読取時間よりも優先する。
【００２７】
前記タスクパラメータは、アンテナ番号、サーチウィンドウ長、スクランブリングコードなどを含む。
【００２８】
ステップ２０２では、タスク情報テーブルを定時にサーチし、取得されたタスクが有効であるか否かを判断し、有効であれば、ステップ２０３を実行し、無効であれば、ステップ２０２を継続して実行する。
【００２９】
ここでは、前記タスク情報テーブルを定時にサーチし、取得されたタスクが有効であるか否かを判断するステップは、更新されたタスク情報テーブルに対するサーチを各スロットの先頭で始動し、タスク番号に従って、タスク情報テーブルを順にサーチし、かつ、タスク情報テーブルに保存されているタスク状態に基づいて、取得されたタスクが有効であるか否かを判断することを含む。
【００３０】
ステップ２０３では、取得された有効なタスクのタスク番号、各アンテナにおける有効なタスクの数、および各アンテナにおける占用する有効なサーチリソースの数を記憶し、全てのアンテナを、占用する有効なサーチリソースの数の順にソートする。
【００３１】
ここでは、前記タスク情報テーブルは、タスク番号をアドレスインデックスとしており、前記タスク情報テーブルには、タスク状態、すなわち、タスクが有効であるか否か、または、タスクの効力発生時間が始まっているか否かがさらに保存されている。
【００３２】
対応的に、前記タスク情報テーブルを定時にサーチするステップは、更新されたタスク情報テーブルに対するサーチを各スロットの先頭で始動し、タスク番号に従って、タスク情報テーブルを順にサーチ且つ読み取り、かつ、全体のタスク情報テーブルに対するサーチが完了するまで、タスク情報テーブルから読み取られたタスクパラメータに含まれるアンテナ番号に従って、読み取られた有効なタスクのタスク番号を対応するアンテナリンクリストに書き込んで、異なるアンテナ番号のアンテナリンクリスト、異なるアンテナにおいて処理する必要があるタスクの総数、および各アンテナが占用する有効なサーチリソースの総数を取得することを含む。
【００３３】
前記アンテナリンクリストは、タスク番号をインデックスとしており、本アンテナ本スロット内のこのタスク番号の直前の有効なタスクのタスク番号が記憶されている。
【００３４】
ステップ２０４では、前記ソートに応じて、全てのアンテナにおいて処理する必要があるタスクを処理する。
【００３５】
ここでは、前記ソートに応じて、全てのアンテナにおいて処理する必要があるタスクを処理するステップは、全てのアンテナを、占用する有効なサーチリソースの数の順にソートすることに基づいて、先ず、占用する有効なサーチリソースの数が最も多いアンテナのアンテナ番号を読み取り、それから、アンテナ番号に従って、当該アンテナにおける最後の１つの有効なタスク番号を読み取り、当該有効なタスク番号に従って、タスク情報テーブルにおける対応するアドレスのタスクパラメータを読み取り、タスクをタスク運行記憶
領域に書き込む処理を、当該アンテナにおける直前の有効なタスク番号を読み取り、当該アンテナにおける全ての有効なタスクがタスク運行記憶領域に書き込まれて当該アンテナタスクの処理が完了するまで繰り返し、その後、占用する有効なサーチリソースの数が二番目に多いアンテナを処理し、全てのアンテナが処理されるまで同様の処理を繰り返すことを含む。
【００３６】
図３は、本発明の実施例におけるマルチパスサーチを実現するタスク処理装置構成構造模式図である。説明の便宜上、本装置の各モジュールが実現する機能を補助解釈説明するために、図３には、アンテナデータ申請モジュールと、タスク運行モジュールという本装置以外の２つのモジュールがさらに追加されている。
【００３７】
図３に示すように、本発明の実施例におけるマルチパスサーチを実現するタスク処理装置は、タスクステートマシン制御モジュール３１と、タスクルックアップモジュール３２とを備える。
【００３８】
前記タスクステートマシン制御モジュール３１は、状態コントローラであっても良く、タスクルックアップモジュール３２の状態制御を実施するように構成される。
【００３９】
前記タスクルックアップモジュール３２は、プロセッサとメモリとの組合せであっても良く、タスク情報テーブルを定時にサーチし、各アンテナにおいて処理する必要があるタスクを取得し、全てのアンテナを、占用する有効なサーチリソースの数の順にソートし、かつ、前記ソートに応じて、全てのアンテナにおいて処理する必要があるタスクを処理するように構成される。
【００４０】
好ましくは、前記装置は、タスク要求を定時に読み取り、タスク情報テーブルにおけるタスクパラメータを更新するように構成されるタスク要求モジュール３３をさらに備える。
【００４１】
好ましくは、前記タスクステートマシン制御モジュール３１は、タスク要求モジュール３３に対する状態制御、およびタスク運行に対する状態制御を実施するように構成される。
【００４２】
好ましくは、前記タスクステートマシン制御モジュール３１は、タスク要求ステートマシン３１１、タスクルックアップステートマシン３１２、タスク運行ステートマシン３１３を有し、各ステートマシンは、タスク要求、タスクルックアップおよびタスク運行の処理過程を並行に制御する。
【００４３】
前記タスク要求ステートマシン３１１は、タスク要求モジュール３３によるタスク要求に対する状態制御を実施するように構成される。
【００４４】
前記タスクルックアップステートマシン３１２は、タスクルックアップモジュール３２によるタスクルックアップに対する状態制御を実施するように構成される。
【００４５】
前記タスク運行ステートマシン３１３は、タスク運行に対する状態制御を実施するように構成される。
【００４６】
具体的には、前記タスク運行に対する状態制御は、タスク運行記憶手段３２６における異なるアンテナにおける有効なタスクのタスクパラメータを読み取ること、占用するサーチリソース数の順にソートすること、アンテナによってアンテナデータを申請すること及びタスクを送信することなどである。
【００４７】
好ましくは、前記タスクルックアップモジュール３２は、アンテナリンクリスト記憶手段３２１、アンテナサーチリソース数記憶手段３２２、アンテナタスク数記憶手段３２３、アンテナ最後タスク記憶手段３２４、タスク運行記憶手段３２６、およびタスクルックアップ処理手段３２５を有する。
【００４８】
前記アンテナリンクリスト記憶手段３２１は、タスク番号をアドレスインデックスとしており、各アンテナのアンテナリンクリストを記憶するように構成される。
【００４９】
前記アンテナサーチリソース数記憶手段３２２は、アンテナ番号をインデックスとしており、各アンテナが占用する有効なサーチリソースの数を記憶するように構成される。
【００５０】
前記アンテナタスク数記憶手段３２３は、アンテナ番号をインデックスとしており、各アンテナにおける有効なタスクの数を記憶するように構成される。
【００５１】
前記アンテナ最後タスク記憶手段３２４は、アンテナ番号をインデックスとしており、各アンテナにおける最後の１つの有効なタスクのタスク番号を記憶するように構成される。
【００５２】
前記タスクルックアップ処理手段３２５は、タスクルックアップステートマシンの制御の下、タスク情報テーブルをサーチし、各アンテナにおいて処理する必要があるタスクを取得し、全てのアンテナを、占用する有効なサーチリソースの数の順にソートし、かつ、前記ソートに応じて、全てのアンテナにおいて処理する必要があるタスクを処理するように構成される。
【００５３】
前記タスク運行記憶手段３２６は、各アンテナのタスクを記憶するように構成される。
【００５４】
ここでは、前記タスク情報テーブルは、タスク番号をアドレスインデックスとしており、タスク状態、すなわち、タスクが有効であるか否か、または、タスクの効力発生時間が始まっているか否かがさらに保存されている。
【００５５】
前記アンテナリンクリストは、タスク番号をインデックスとしており、本アンテナ本スロット内のこのタスク番号の直前の有効なタスクのタスク番号が記憶されている。
【００５６】
実際の応用では、前記アンテナサーチリソース数記憶手段３２２は、アンテナサーチリソースレジスター群であっても良く、前記アンテナタスク数記憶手段３２３は、アンテナタスク数レジスター群であっても良く、前記アンテナ最後タスク記憶手段３２４は、アンテナ最後タスクレジスター群であってもよい。
【００５７】
好ましくは、前記タスク要求モジュール３３は、タスクパラメータ記憶手段３３１、タスク要求記憶手段３３２、タスク情報テーブル記憶手段３３４、およびタスク要求処理手段３３３を有する。
【００５８】
前記タスクパラメータ記憶手段３３１は、タスクパラメータを記憶するように構成される。
【００５９】
前記タスク要求記憶手段３３２は、タスク要求を記憶するように構成され、一般的には、ソフトウェアのインターフェース、先入れ先出し待ち行列（ＦＩＦＯ、Ｆｉｒｓｔ Ｉｎｐｕｔ Ｆｉｒｓｔ Ｏｕｔｐｕｔ）によって実現される。
【００６０】
前記タスク情報テーブル記憶手段３３４は、タスク情報テーブルを記憶するように構成される。
【００６１】
前記タスク要求処理手段３３３は、タスク要求ステートマシン３３１の制御の下、タスク要求を読み取り、タスク情報テーブルにおけるタスクパラメータを更新するように構成される。
【００６２】
ここでは、前記タスクパラメータは、アンテナ番号、サーチウィンドウ長、スクランブリングコードなどを含む。
以上は単に本発明の好ましい実施例に過ぎず、本発明の保護範囲を限定しない。
【図１】
0006273008.tif 000002
【図２】
0006273008.tif 000003
【図３】
0006273008.tif 000004